(57)【要約】【課題】  各種温水給湯器から供給される温水の温度が、安全上の理由から６０℃以下の温度に制限されている場合でも、気化冷却現象を最小限にし、他の補助熱源を必要とすることなく、快適な温度のミストサウナとして利用できるミスト生成装置を提供すること。【解決手段】  給湯器からの温水を用いて、当該温水圧力と温水温度を利用してミストを生成するミスト生成装置において、前記温水を前記ミスト用の粒径の水滴群に変換させるミスト変換部を有し、前記ミスト変換部は前記ミスト用の粒径の水滴群に変換するに際して、気化熱による前記水滴群の温度低下を少なくするように構成されたことを特徴とする。【選択図】  図１
2007229183.tif 000002
【特許請求の範囲】
【請求項１】
給湯器からの温水を用いて、当該温水圧力と温水温度を利用してミストを生成するミスト生成装置において、
前記温水を前記ミスト用の粒径の水滴群に変換させるミスト変換部を有し、
前記ミスト変換部は、前記ミスト用の粒径の水滴群に変換するに際して、気化熱による前記水滴群の温度低下を少なくするように構成されたことを特徴とするミスト生成装置。
【請求項２】
大略円筒形の内部空間を有するシャワーヘッド本体と、
前記円筒形内部空間の頂部に設けられた温水流入部と、
前記円筒形の中心軸と大略一致する位置に設けられた回転軸と、
前記円筒形内部空間の温水流入部側に設けられると共に、前記回転軸を中心として所定方向に回転する羽根車形状の第１の回転板と、
前記第１の回転板よりも前記円筒形内部空間の噴出し側に設けられた羽根車形状の第２の回転板と、
前記第１の回転板を経由した温水を前記第２の回転板の大略先端部分に導く導水ノズルと、
前記第２の回転板よりも前記円筒形内部空間の噴出し側に設けられた針金車とを備え、
前記針金車により粉砕された所定粒径の水滴が噴出されることを特徴とするシャワーヘッド。
【請求項３】
前記第２の回転板は、前記第１の回転板と逆方向に回転するように構成され、
前記導水ノズルは、前記第２の回転板が当該逆方向に回転するように、前記温水を導くように構成され、
前記針金車は、前記第２の回転板と逆方向に回転するように構成されたことを特徴とする請求項２記載のシャワーヘッド。
【請求項４】
請求項２又は請求項３に記載のシャワーヘッドにおいて、さらに、
シャワー用温水流入部と、
前記針金車により粉砕された所定粒径の水滴が噴出される噴出口と同心円状に形成されたシャワー用温水噴出部と、
供給される温水を前記温水流入部と前記シャワー用温水流入部とで切替える切替え弁と、
を有し、前記シャワー用温水流入部から流入した温水は、前記シャワー用温水噴出部からシャワーとして噴出されることを特徴とするシャワーヘッド。
【発明の詳細な説明】
【技術分野】
【０００１】
本発明は、一般的な家庭内の浴室や公衆的な浴室施設などをミストサウナとして利用するのに好適なミスト生成装置に関し、特に各種温水給湯器から供給される温水の温度が安全上の理由から６０℃程度の温度に制限されている場合でも、ミストサウナ機能を満たす温度の水粒子が生成されるミスト生成装置に関する。
また、本発明は、例えば上述のミスト生成装置を内部に装着した、シャワーヘッドに関する。
【背景技術】
【０００２】
従来、入浴前に浴室でミストを発生させて浴室を暖めたり、スチームサウナを行えるようにしたミスト発生装置が知られている。例えば特許文献１に開示されているような、シャワー装置のシャワーヘッドにミスト発生機構を組み込んだものが知られている。また、特許文献２に開示されているような、ミスト粒径を大きくすることなく、ミストの発生量を増やす装置が提案されている。
【０００３】
【特許文献１】特開平８−１１７３０９号公報
【特許文献２】特開平１１−２６７０５９号公報
【発明の開示】
【発明が解決しようとする課題】
【０００４】
ところで、特許文献１に開示された装置では、シャワーヘッドで大量のミストを発生させようとした場合、噴霧ノズルを複数設ける構造や、一つのノズルから出す水量を増やす使用形態が考えられる。しかし、前者の構造ではノズルの数だけ部品点数が増えてしまうので、コストが高くなってしまうという課題がある。また、後者の使用形態では、湯量を増やせば増やすほどミストの粒子径が大きくなりすぎてしまうので、その分浴室内温度を上げるのに効率が悪くなるという課題がある。また、特許文献１に開示された装置では、浴室を暖めるに際してミストの粒子径を検討しているだけで、気化熱の影響を考慮していないという課題があった。
【０００５】
特に、各種温水給湯器から供給される温水の温度は、通常安全上の理由から６０℃以下の温度に制限されている場合が多く、ミスト変換に伴う温度低下が大きくなると、利用者が浴室内温度を低く感じたり、ミスト温度を低く感じる。そこで、利用者の使用感覚を良好に保持するため、温水のミスト変換途中に加熱装置を設けることが行われている。しかし、温水のミスト変換途中に加熱装置を設けると、シャワーヘッドの機構が複雑化すると共に、加熱のために熱エネルギーが余分に必要になるという課題があった。また、特許文献２に開示された装置では、ミストの噴出面とシャワーの噴出面がシャワーヘッドの反対側に位置しており、利用者にとって違和感を生ずるという課題があった。
【０００６】
本発明は上述した課題を解決するもので、各種温水給湯器から供給される温水の温度が安全上の理由から６０℃の温度に制限されている場合でも、適切な温度のミストサウナとして利用できるミスト生成装置、及びミスト発生機構を組み込んだシャワーヘッドを提供することを目的とする。
【課題を解決するための手段】
【０００７】
上記目的を達成する本発明のミスト生成装置は、例えば図１に示すように、給湯器からの温水を用いて、当該温水圧力と温水温度を利用してミストを生成するミスト生成装置において、前記温水を前記ミスト用の粒径の水滴群に変換させるミスト変換部を有し、前記ミスト変換部は、前記ミスト用の粒径の水滴群に変換するに際して、気化熱による前記水滴群の温度低下を少なくするように構成されたことを特徴とする。
【０００８】
このように構成されたミスト生成装置においては、ミスト変換部で温水をミスト用の粒径の水滴群に変換するに際して、ノズル等によるミスト発生による気化熱に起因する水滴群の温度低下を少なくするように構成されているので、給湯器からの温水がミストに変換される際の温度低下が少なくてすむ。このような、ミスト変換部としては、例えば請求項２に記載されたシャワーヘッド、即ち円筒形内部空間３０の頂部に設けられた温水流入部３１、回転軸３２、第１の回転板３３、第２の回転板３４、導水ノズル（３５，３６）並びに針金車３７を有するシャワーヘッドがある。
【０００９】
上記目的を達成する本発明のシャワーヘッドは、例えば図１に示すように、大略円筒形の内部空間３０を有するシャワーヘッド本体１０と、円筒形内部空間３０の頂部に設けられた温水流入部３１と、前記円筒形の中心軸と大略一致する位置に設けられた回転軸３２と、円筒形内部空間３０の温水流入部３１側に設けられると共に、回転軸３２を中心として所定方向に回転する羽根車形状の第１の回転板３３と、第１の回転板３３よりも円筒形内部空間３０の噴出し側に設けられた羽根車形状の第２の回転板３４と、第１の回転板３３を経由した温水を第２の回転板３４の大略先端部分に導く導水ノズル（３５，３６）と、第２の回転板３４よりも円筒形内部空間３０の噴出し側に設けられた針金車３７とを備え、針金車３７により粉砕された所定粒径の水滴が噴出されることを特徴としている。
【００１０】
このように構成されたシャワーヘッドにおいては、温水流入部３１から案内された温水は、第１の回転板３３によって旋回流を形成して、導水ノズル（３５，３６）から第２の回転板３４に噴出されて衝撃粉砕により第１の粒径の水滴群を形成し、この第１の粒径の水滴群が針金車３７によってさらに衝撃粉砕され、第１の粒径よりも小さな第２の粒径の水滴群に変形されて、針金車３７により粉砕された所定粒径の水滴がシャワーヘッドより噴出される。ここで衝撃粉砕とは、第２の回転板３４や針金車３７の高速回転に伴う力によって、水滴に急激な力が作用して、水滴が粉砕されることをいう。ここでは、針金車３７によって、第１の粒径よりも小さな第２の粒径の水滴群に変形して、ミストを生成しているので、気化熱による水滴群の温度低下が少なくて済む。
【００１１】
好ましくは、本発明のシャワーヘッドにおいて、例えば図１に示すように、第２の回転板３４は、第１の回転板３３と逆方向に回転するように構成され、導水ノズル（３５，３６）は、第２の回転板３４が当該逆方向に回転するように、前記温水を導くように構成され、針金車３７は、第２の回転板３４と逆方向に回転するように構成されるとよい。すると、針金車３７は第１の回転板３３と同軸にして順方向の回転が得られ、第２の回転板３４が当該逆方向に回転することと相まって、針金車３７により粉砕される水滴の粒径が微細となってミストの粒径微細化に寄与して、ミストサウナとしての利用に有益である。
【００１２】
好ましくは、本発明のシャワーヘッドにおいて、例えば図１に示すように、さらにシャワー用温水流入部２４と、針金車３７により粉砕された所定粒径の水滴が噴出される噴出口３８と同心円状に形成されたシャワー用温水噴出部２８と、供給される温水を温水流入部３１とシャワー用温水噴出部２８とで切替える切替え弁２２とを有し、シャワー用温水流入部２４から流入した温水は、シャワー用温水噴出部２８からシャワーとして噴出される構成とするとよい。このような構成によると、利用者は切替え弁２２を操作して、シャワーとミストを切り替えて利用することができる。
【発明の効果】
【００１３】
本発明のミスト生成装置においては、シャワーヘッドで温水をミスト用の粒径の水滴群に変換するに際して、衝撃粉砕によるミスト生成のため気化熱による水滴群の温度低下を少なくするように構成されているので、給湯器からの温水がミストに変換される際の温度低下が少なくてすむ。そこで、従来装置で必要とされていたミスト生成装置の導水途中での加熱装置が不要となり、ミスト生成装置の構成が単純になると共に、加熱のための熱エネルギーを温水に供給する必要がなくなり、ミスト生成装置で消費する熱エネルギーが少なくてすみ、大きな省エネルギー効果か期待できる。
【００１４】
本発明のシャワーヘッドにおいては、針金車３７によって第１の粒径よりも小さな第２の粒径の水滴群に変形して、ミストを生成しているので、気化熱による水滴群の温度低下が少なくて済む。また、第２の回転板３４と針金車３７による水滴の衝撃粉砕によってミスト粒子が生成されるので、レナード現象と同様に、水滴が激しく飛び散る時に空気中にマイナスイオンが発生する。このマイナスイオンには、新陳代謝を活発化して気分をリラックスさせる効果がある。また、請求項４に記載のシャワーヘッドにおいては、ミストの噴出面とシャワーの噴出面をシャワーヘッドの同一面とすることができ、利用者にとって違和感を生ずることがないという効果もある。
【発明を実施するための最良の形態】
【００１５】
以下、本発明の実施の形態を、図面に基づいて説明する。
図１は本発明のシャワーヘッドの全体を説明する要部断面図である。図において、利用者が把持しやすいように、シャワーヘッド本体１０には、ホース接続部１１、基部外壁体１２、温水流路部１３、温水仕切り壁１４、把持用空隙部１５、把持用外壁体１６を形成してある。ホース接続部１１は、給湯器からの温水をシャワーヘッド本体１０に供給するホースを接続するもので、例えば円筒状の接続口の外周面に螺旋状の係合突起が形成してある。基部外壁体１２は、利用者が手でシャワーヘッド本体１０を把持するための長さを有するもので、把持用外壁体１６と共に利用者が持ちやすい外周形状を形成している。温水流路部１３は、基部外壁体１２と温水仕切り壁１４によって形成された管状流路である。把持用空隙部１５は、把持用外壁体１６と温水仕切り壁１４によって形成された空隙で、シャワーヘッド本体１０の軽量化のために空隙となっている。把持用外壁体１６には、レバー操作案内溝１６ａが切替レバー２０の操作範囲内で形成してある。
【００１６】
シャワーヘッド本体１０の基部外壁体１２と把持用外壁体１６で形成される把持部の先端には、ミスト外周壁１７、ミスト用温水流入部１８、ミストシャワー仕切り壁１９が設けられている。ミスト外周壁１７の先端には、ミスト生成機能を有する円筒形内部空間３０が形成されている。ミスト用温水流入部１８には、水流切替板２２を介して温水流路部１３から供給された温水が流入し、この円筒形内部空間３０に供給される。ミストシャワー仕切り壁１９は、ミスト用温水流入部１８とシャワー流路入口部２４を仕切る壁である。
【００１７】
利用者がシャワーとしての利用ができるように、シャワーヘッド本体１０には、切替レバー２０、シャワー仕切り壁２１、切替え弁としての水流切替板２２、水流切替板保持部２３、シャワー用温水流入部としてのシャワー流路入口部２４、シャワー外周壁２５、シャワー流路外周部２６、ミスト生成部仕切り壁２７、シャワー用温水噴出部２８を形成してある。切替レバー２０は、シャワーとミストとの切替を行うための操作レバーで、切替レバー２０の回転中心に設けられた切替レバー軸２０ａを介して水流切替板２２が取付けられている。切替レバー２０が、把持用外壁体１６に形成されたレバー操作案内溝１６ａに沿って、レバー先端を移動させると、切替レバー軸２０ａを介して水流切替板２２が操作量に応じて回転する。切替レバー軸２０ａは、温水仕切り壁１４とミストシャワー仕切り壁１９の間に形成された開口部２０ｂに位置している。開口部２０ｂは、水流切替板２２を介して温水流路部１３とシャワー流路入口部２４とを連絡する管路の一部を形成している。
【００１８】
水流切替板２２は、温水流路部１３から送られた温水をシャワー流路入口部２４とミスト温水流入部３１とに切り替えて供給するもので、例えば開口部が形成されている。水流切替板保持部２３は、水流切替板２２の回動を規制するもので、シャワー外周壁２５のシャワー流路入口部２４側の面に形成されたシャワー側保持部２３ａと、ミスト外周壁１７のミスト用温水流入部１８側の面に形成されたミスト側保持部２３ｂと、切替レバー軸２０ａのミストシャワー仕切り壁１９側の端部に設けられた仕切側保持部２３ｃを有している。
【００１９】
シャワー流路入口部２４は、水流切替板２２とシャワー流路外周部２６を連絡する管路を形成する空間で、ミストシャワー仕切り壁１９、シャワー外周壁２５及びミスト生成部仕切り壁２７によって区画されている。シャワー外周壁２５は、シャワーヘッド本体１０のシャワー用温水噴出部２８の円筒状縁を形成するものである。シャワー流路外周部２６は、シャワー外周壁２５とミスト生成部仕切り壁２７によって形成された円環状管路で、先端にはシャワー用温水噴出部２８が形成されている。ミスト生成部仕切り壁２７は、その内側にミスト生成機能を有する円筒形内部空間３０が収容されている。シャワー用温水噴出部２８は、円筒形内部空間３０のミスト噴出口３８と同心円状に形成されるもので、所定形状に形成された複数の噴出穴からシャワーとしての水流が噴出する。ここで、円筒形内部空間３０は内径Ｄｏ、長さＬであり、シャワー用温水噴出部２８の幅ｗ、シャワー用温水噴出部２８を含めた外径はＤ１（＝Ｄｏ＋２ｗ）となっている。典型的な設計値としては、内径Ｄｏを４０〜６０ｍｍ、長さＬを４０〜８０ｍｍ、外径Ｄ１を５５〜８０ｍｍ、幅ｗを８〜１０ｍｍとするのがよい。
【００２０】
ミスト生成機能を有する円筒形内部空間３０には、温水流入部３１、回転軸３２、第１の回転板３３、第２の回転板３４、温水案内部３５、温水ノズル３６、針金車３７が収容されていると共に、噴出口３８が設けられている。温水流入部３１は、円筒形内部空間３０の頂部に設けられた開口部で、ミスト用温水流入部１８と空間的に接続されている。回転軸３２は、円筒形内部空間３０の中心軸と大略一致する位置に設けられるもので、第１の回転板３３、第２の回転板３４、針金車３７の回転軸を形成している。第１の回転板３３は、円筒形内部空間３０の温水流入部３１側に設けられると共に、回転軸３２を中心として所定方向に回転する羽根車形状のもので、例えば羽根の数は６枚ないし２０枚、好ましくは１０枚乃至１２枚前後がよい。
【００２１】
第２の回転板３４は、第１の回転板３３よりも円筒形内部空間３０の噴出し側に設けられた羽根車形状のもので、例えば羽根の数は６枚ないし２０枚、好ましくは１０枚乃至１２枚前後がよい。温水案内部３５は、第１の回転板３３を経由した温水を第２の回転板３４の大略先端部分に導くもので、第１の回転板３３の回転面と水平に設けられた大略半円状の平板温水案内部３５ａと、温水案内部３５ａと第２の回転板３４とを連絡する斜状温水案内部３５ｂを有している。温水ノズル３６は、斜状温水案内部３５ｂの先端部に位置するもので、温水の水流を絞って第２の回転板３４の大略先端部分に導く。温水ノズル３６は、第２の回転板３４が、第１の回転板３３と逆方向に回転するように、ノズルの位置と方向を定めるのがよい。
【００２２】
針金車３７は、第２の回転板３４よりも円筒形内部空間３０の噴出し側に設けられたもので、第２の回転板３４と逆方向、即ち第１の回転板３３と順方向に回転する構造としてある。針金車３７の針金は、例えば長さが回転軸３２からミスト生成部仕切り壁２７までの間隔（大略Ｄｏ／２）よりも僅かに小さく、直径は例えば１００μｍ〜３００μｍ、材質は耐蝕性と剛性に優れたステンレス鋼や銅がよい。針金車３７の針金は、回転軸３２の軸方向に複数列に配置する。針金車３７は、回転軸３２を中心とする回転によって、逆方向に回転する第２の回転板３４から送られる水流をミストに適した微細粒径の水滴に粉砕する。第２の回転板３４と針金車３７においては、衝撃粉砕による温水粒子細分化のため、気化冷却現象が少なく済んでいると共に、円筒形内部空間３０の限られた空間内に位置しているので水蒸気が飽和状態である為、水滴の気化が抑制される。円筒形内部空間３０の噴出口３８は、シャワー用温水噴出部２８の内側開口部で、好ましくは利用者が誤って針金車３７に接触しないように、ミスト用カバー（図示せず）を設けるとよい。
【００２３】
次に、このように構成された装置の動作を説明する。図２は本発明のシャワーヘッドの動作を説明するフローチャートである。図において、給湯器からの温水は、ホース接続部１１・温水流路部１３を経由して、水流切替板２２に至る（Ｓ１００）。利用者は、切替レバー２０を操作して、水流切替板２２によりミストとシャワーを切り替える（Ｓ１０２）。
【００２４】
切替レバー２０によりシャワーが選択されている場合には、温水が温水流路部１３から開口部２０ｂ・水流切替板２２を経由してシャワー流路入口部２４に流入し（Ｓ１２０）、シャワー流路外周部２６を経て（Ｓ１２２）、シャワー用温水噴出部２８からシャワーとしての水流が噴出する（Ｓ１２４）。
【００２５】
切替レバー２０によりミストが選択されている場合には、温水が温水流路部１３から水流切替板２２を経由してミスト用温水流入部１８に流入して（Ｓ１４０）、円筒形内部空間３０に供給される（Ｓ１４２）。円筒形内部空間３０では、温水流入部３１から第１の回転板３３に温水が供給される（Ｓ１４４）。温水は、第１の回転板３３に運動エネルギーを付与し、第１の回転板３３を順方向に回転させる（Ｓ１４６）。第１の回転板３３を経由して、温水は、導水ノズルとしての温水案内部３５、温水ノズル３６から第２の回転板３４に噴出される（Ｓ１４８）。この時、第１の回転板３３と逆方向に第２の回転板３４が回転するように温水ノズル３６の方向と位置が設定されている。第２の回転板３４の高速回転と、温水ノズル３６での噴流の作用で、温水は第１の粒径の水滴群となる（Ｓ１５０）。なお、第２の回転板３４は回転軸３２に対して、回転方向が時計回りと反時計回りの双方に回転可能に、取り付けられている。
【００２６】
第１の粒径の水滴群となった温水は、針金車３７に設けられた多数の針金によって砕かれる（Ｓ１５２）。このとき、針金車３７と第１の回転板３３は回転軸３２を介して直結されていると共に順方向に回転し、第２の回転板３４とは逆方向に回転するため、第２の回転板３４によって砕かれた水滴群が針金車３７によって更に微細化した水滴群に変形される。そして、第１の粒径よりも小さな第２の粒径の水滴群に変形する（Ｓ１５４）。水滴の粉砕は、針金車３７により機械的に行われるので、気化熱による水滴群の温度低下が少なくて済む。第２の粒径の水滴群に細かく砕かれた温水は、噴出口３８からミストとして噴出される（Ｓ１５６）。Ｓ１５４とＳ１５６では、第２の回転板３４と針金車３７による水滴の衝撃粉砕によってミスト粒子が生成されるので、レナード現象と同様に、水滴が激しく飛び散る時に、空気中にマイナスイオンが発生する。
【００２７】
ここで、マイナスイオンとは、空気中の酸素がマイナスの電子と結合して、負に帯電した酸素分子（陰イオン）になり、これに空気中の微小な水分子が複数結合したものといわれており、新陳代謝を活発化して気分をリラックスさせる効果があると言われている。マイナスイオンの個数は、滝壷付近が自然界では最も多いとされる。浴室内で本発明のミスト生成装置を用いると、マイナスイオンが滝壷付近と同じ程度で発生する。
【００２８】
そして、利用者がミストとシャワーを切り替えるか判断して、切替レバー２０を操作する（Ｓ１６０）。すると、シャワーヘッドではＳ１２０に戻って、ミストとシャワーで場合分けして温水を処理する。この実施例にかかるシャワーヘッドでは、ミストの噴出面３８とシャワーの噴出面２８をシャワーヘッドの同一面とすることができ、利用者にとって違和感を生ずることがない。
【００２９】
図３は、第１の回転板３３と第２の回転板３４の一例を説明する構成図で、（Ａ）は平面図、（Ｂ）は正面図を示している。回転板３３、３４は、例えば直径Ｄの円形平板を曲げ加工して形成する。直径Ｄは、円筒形内部空間３０の内径Ｄｏよりも僅かに小さな値、例えば３８ｍｍ〜５８ｍｍとし、円形平板の材質は銅板やステンレス鋼板等の金属製を用いてもよく、プラスチックを用いて射出成型したものでもよい。羽根は、ここでは１２枚としており、羽根毎に３３ａ、３３ｂ、…、３３ｌの符号を付してある。羽根３３ａ、３３ｂ、…、３３ｌは、元となる円形平板を均等な角度で先端から中心近傍まで切り込みをいれて、羽根の先端で高さｈ（例えば６ｍｍ〜１５ｍｍ）になるように一定方向に曲げてある。
【００３０】
羽根３３ａ、３３ｂ、…、３３ｌの表面が傾斜しているので、円形平板の軸方向から水流が当たったときに、羽根３３ａ、３３ｂ、…、３３ｌに回転方向のモーメントが作用して、第１の回転板３３は流量に比例して回転する。他方、第２の回転板３４は回転軸３２に対して回動自在に取り付けられているので、第１の回転板３３と逆方向に回転するように、温水ノズル３６を設定する。第２の回転板３４の回転によって、第２の回転板３４の羽根に当たった温水の水流が水滴に変換される。好ましくは、回転板３３、３４の直径Ｄと羽根先端高さｈを適宜に設計することで、温水の水流に応じて最適な回転モーメントが得られ、また水滴の形状も最適なものとなる。
【００３１】
なお、上記の実施の形態においては、ミスト用の粒径の水滴群に変換するミスト変換部として、図１に記載されたシャワーヘッド、即ち円筒形内部空間３０の頂部に設けられた温水流入部３１、回転軸３２、第１の回転板３３、第２の回転板３４、温水案内部３５、温水ノズル３６並びに針金車３７を有し、第１の回転板３３・針金車３７と第２の回転板３４とで時計回りと反時計回りを逆にして水滴を砕く構造のシャワーヘッドを示したが、本発明はこれに限定されるものではない。例えば、ミストとして好ましい水滴を得るのに、回転体の方向を第１の回転板３３・針金車３７と第２の回転板３４とで同じ回転方向で水滴を砕いてもよく、また第１の回転板３３と第２の回転板３４の回転方向を順方向として、針金車３７を逆方向に回転するように構成して、水滴を砕いてもよい。また、超音波振動子のような高周波振動体を用いて、水滴を微細化してミスト水滴を形成する機構を付加してもよい。
【図面の簡単な説明】
【００３２】
【図１】本発明のシャワーヘッドの全体を説明する要部断面図である。
【図２】本発明のシャワーヘッドの動作を説明するフローチャートである。
【図３】第１の回転板３３と第２の回転板３４の一例を説明する構成図で、（Ａ）は平面図、（Ｂ）は正面図を示している。
【符号の説明】
【００３３】
１０  シャワーヘッド本体
２０  切替レバー
２２  水流切替板（切替え弁）
２８  シャワー用温水噴出部
３０  円筒形内部空間
３１  温水流入部
３２  回転軸
３３、３４  回転板
３５  温水案内部
３６  温水ノズル
３７  針金車
３８  噴出口
【図１】
2007229183.tif 000003
【図２】
2007229183.tif 000004
【図３】
2007229183.tif 000005